(57)【要約】【課題】  電力の消費を最小限に抑えながら、なおかつ電源オフでなく省電力モードであることを通知し、同時に例えば現在時刻などの有用な情報をユーザに通知することができるようにする。【解決手段】  使用者が本携帯電話機１００を一定時間全く操作しない場合、制御部１０１は、消費電流を抑えるために表示部１０２の表示をオフし、表示照明部１０３およびキー個別照明部１０７全体の照明を停止する。停止後、使用者に省電力モードを通知するため、制御部１０１は、情報表示のために該当する数字キーのキー個別照明部１０７のみを、表示部１０２使用時より省電力となるように一定時間間隔にて点灯させる。例えば午後２時４５分の場合を例とすると、２４時間制の時刻情報として、「１」「４」「４」「５」の順で数字間消灯時間の消灯動作を挟みながら順次点灯していく。【選択図】  図４
2006101313.tif 000002
【特許請求の範囲】
【請求項１】
電力により情報表示を行う情報表示手段と、
数字キーを含む入力手段とを備えると共に、
前記各数字キーを個別に照明する個別照明手段が前記各数字キーに対して配設された携帯表示装置であって、
前記携帯表示装置の動作を制御し、前記情報表示手段による消費電力を低減させる省電力モードに制御可能な制御手段を備え、
前記制御手段は、前記省電力モード時に前記個別照明手段の点灯／消灯を制御することで情報表示を行うことを特徴とする携帯表示装置。
【請求項２】
前記制御手段は、前記情報表示として現在時刻情報を表示することを特徴とする請求項１記載の携帯表示装置。
【請求項３】
前記制御手段は、現在時刻情報における時、分に該当する数字キーに対して配設された前記個別照明手段を順次点灯させることにより現在時刻情報を表示することを特徴とする請求項２記載の携帯表示装置。
【請求項４】
前記制御手段は、２４時間制の現在時刻情報における時、分に対して、時の十の桁、時の１の桁、分の十の桁、分の一の桁に該当する数字キーに対して配設された前記個別照明手段を順次点灯させることにより現在時刻情報を表示することを特徴とする請求項２記載の携帯表示装置。
【請求項５】
前記制御手段は、前記個別照明手段を順次点灯させることで現在時刻情報を表示する際に、１つの個別照明手段の点灯と次の個別照明手段の点灯との間に第１の消灯時間を設けたことを特徴とする請求項３または４記載の携帯表示装置。
【請求項６】
前記制御手段は、前記個別照明手段を順次点灯させることで現在時刻情報を表示した後に省電力モードがさらに継続される場合、当該現在時刻情報表示から第２の消灯時間を経過した後に再度前記個別照明手段を順次点灯させることによる現在時刻情報表示を繰り返すよう制御し、
前記第２の消灯時間は、前記第１の消灯時間よりも長いことを特徴とする請求項３から５の何れか１項に記載の携帯表示装置。
【請求項７】
前記制御手段は、前記情報表示として電波の受信レベルを表示することを特徴とする請求項１記載の携帯表示装置。
【請求項８】
前記制御手段は、現在の電波の受信レベルに該当する数字キーに対して配設された前記個別照明手段を所定時間点灯させることにより電波の受信レベルを表示することを特徴とする請求項７記載の携帯表示装置。
【請求項９】
前記制御手段は、前記情報表示として電池の残量レベルを表示することを特徴とする請求項１記載の携帯表示装置。
【請求項１０】
前記制御手段は、現在の電池の残量レベルに該当する数字キーに対して配設された前記個別照明手段を所定時間点灯させることにより電池の残量レベルを表示することを特徴とする請求項９記載の携帯表示装置。
【請求項１１】
前記省電力モードでは、前記情報表示手段による消費電力をオフにし、
前記情報表示は、前記個別照明手段を１つずつ点灯させて行うことを特徴とする請求項１から１０の何れか１項に記載の携帯表示装置。
【請求項１２】
前記入力手段から予め定められた一定時間以上外部から入力が行われない場合に前記制御手段は前記省電力モードとするよう制御し、前記入力手段から何らかの入力が行われた場合、直ちに通常モードに復帰するよう制御することを特徴とする請求項１から１１の何れか１項に記載の携帯表示装置。
【請求項１３】
電力により情報表示を行う情報表示手段と、
数字キーを含む入力手段とを備えると共に、
前記各数字キーを個別に照明する個別照明手段が前記各数字キーに対して配設された携帯表示装置における表示制御方法であって、
前記入力手段から予め定められた一定時間以上外部から入力が行われない場合に前記情報表示手段による消費電力を低減させる省電力モードとするモード切り換え工程と、
該省電力モード時に前記個別照明手段の点灯／消灯を制御することで情報表示を行う情報表示工程とを備えたことを特徴とする表示制御方法。
【請求項１４】
前記情報表示工程では、前記情報表示として現在時刻情報を表示することを特徴とする請求項１３記載の表示制御方法。
【請求項１５】
前記情報表示工程では、現在時刻情報における時、分に該当する数字キーに対して配設された前記個別照明手段を順次点灯させることにより現在時刻情報を表示することを特徴とする請求項１４記載の表示制御方法。
【請求項１６】
前記情報表示工程では、２４時間制の現在時刻情報における時、分に対して、時の十の桁、時の１の桁、分の十の桁、分の一の桁に該当する数字キーに対して配設された前記個別照明手段を順次点灯させることにより現在時刻情報を表示することを特徴とする請求項１４記載の表示制御方法。
【請求項１７】
前記情報表示工程では、前記個別照明手段を順次点灯させることで現在時刻情報を表示する際に、１つの個別照明手段の点灯と次の個別照明手段の点灯との間に第１の消灯時間を設けたことを特徴とする請求項１５または１６記載の表示制御方法。
【請求項１８】
前記情報表示工程では、前記個別照明手段を順次点灯させることで現在時刻情報を表示した後に省電力モードがさらに継続される場合、当該現在時刻情報表示から第２の消灯時間を経過した後に再度前記個別照明手段を順次点灯させることによる現在時刻情報表示を繰り返し、
前記第２の消灯時間は、前記第１の消灯時間よりも長いことを特徴とする請求項１５から１７の何れか１項に記載の表示制御方法。
【請求項１９】
前記情報表示工程では、前記情報表示として電波の受信レベルを表示することを特徴とする請求項１３記載の表示制御方法。
【請求項２０】
前記情報表示工程では、現在の電波の受信レベルに該当する数字キーに対して配設された前記個別照明手段を所定時間点灯させることにより電波の受信レベルを表示することを特徴とする請求項１９記載の表示制御方法。
【請求項２１】
前記情報表示工程では、前記情報表示として電池の残量レベルを表示することを特徴とする請求項１３記載の表示制御方法。
【請求項２２】
前記情報表示工程では、現在の電池の残量レベルに該当する数字キーに対して配設された前記個別照明手段を所定時間点灯させることにより電池の残量レベルを表示することを特徴とする請求項２１記載の表示制御方法。
【請求項２３】
前記モード切り換え工程では、省電力モードとして前記情報表示手段による消費電力をオフにし、
前記情報表示は、前記個別照明手段を１つずつ点灯させて行うことを特徴とする請求項１３から２２の何れか１項に記載の表示制御方法。
【請求項２４】
前記情報表示工程の間に前記入力手段から何らかの入力が行われた場合、直ちに通常モードに復帰することを特徴とする請求項１３から２３の何れか１項に記載の表示制御方法。
【請求項２５】
電力により情報表示を行う情報表示手段と、
数字キーを含む入力手段とを備えると共に、
前記各数字キーを個別に照明する個別照明手段が前記各数字キーに対して配設された携帯表示装置の表示制御プログラムであって、
コンピュータに、
前記入力手段から予め定められた一定時間以上外部から入力が行われない場合に前記情報表示手段による消費電力を低減させる省電力モードとするモード切り換え処理と、
該省電力モード時に前記個別照明手段の点灯／消灯を制御することで情報表示を行う情報表示処理とを実行させることを特徴とする表示制御プログラム。
【請求項２６】
前記情報表示処理では、前記情報表示として現在時刻情報を表示することを特徴とする請求項２５記載の表示制御プログラム。
【請求項２７】
前記情報表示処理では、現在時刻情報における時、分に該当する数字キーに対して配設された前記個別照明手段を順次点灯させることにより現在時刻情報を表示することを特徴とする請求項２６記載の表示制御プログラム。
【請求項２８】
前記情報表示処理では、２４時間制の現在時刻情報における時、分に対して、時の十の桁、時の１の桁、分の十の桁、分の一の桁に該当する数字キーに対して配設された前記個別照明手段を順次点灯させることにより現在時刻情報を表示することを特徴とする請求項２６記載の表示制御プログラム。
【請求項２９】
前記情報表示処理では、前記個別照明手段を順次点灯させることで現在時刻情報を表示する際に、１つの個別照明手段の点灯と次の個別照明手段の点灯との間に第１の消灯時間を設けたことを特徴とする請求項２７または２８記載の表示制御プログラム。
【請求項３０】
前記情報表示処理では、前記個別照明手段を順次点灯させることで現在時刻情報を表示した後に省電力モードがさらに継続される場合、当該現在時刻情報表示から第２の消灯時間を経過した後に再度前記個別照明手段を順次点灯させることによる現在時刻情報表示を繰り返し、
前記第２の消灯時間は、前記第１の消灯時間よりも長いことを特徴とする請求項２７から２９の何れか１項に記載の表示制御プログラム。
【請求項３１】
前記情報表示処理では、前記情報表示として電波の受信レベルを表示することを特徴とする請求項２５記載の表示制御プログラム。
【請求項３２】
前記情報表示処理では、現在の電波の受信レベルに該当する数字キーに対して配設された前記個別照明手段を所定時間点灯させることにより電波の受信レベルを表示することを特徴とする請求項３１記載の表示制御プログラム。
【請求項３３】
前記情報表示処理では、前記情報表示として電池の残量レベルを表示することを特徴とする請求項２５記載の表示制御プログラム。
【請求項３４】
前記情報表示処理では、現在の電池の残量レベルに該当する数字キーに対して配設された前記個別照明手段を所定時間点灯させることにより電池の残量レベルを表示することを特徴とする請求項３３記載の表示制御プログラム。
【請求項３５】
前記モード切り換え処理では、省電力モードとして前記情報表示手段による消費電力をオフにし、
前記情報表示は、前記個別照明手段を１つずつ点灯させて行うことを特徴とする請求項２５から３４の何れか１項に記載の表示制御プログラム。
【請求項３６】
前記情報表示処理の間に前記入力手段から何らかの入力が行われた場合、直ちに通常モードに復帰することを特徴とする請求項２５から３５の何れか１項に記載の表示制御プログラム。
【発明の詳細な説明】
【技術分野】
【０００１】
本発明は、電力により情報表示を行う情報表示部を備え、その情報表示部などにおける消費電力を抑える省電力モードに切り換え可能な携帯表示装置、表示制御方法、およびプログラムに関する。
【背景技術】
【０００２】
従来より、バックライト付きの液晶パネルを備えた携帯電話機など、電力により情報表示を行う情報表示部を備えた携帯表示装置がある。
こうした携帯表示装置では、消費電力を削減してバッテリーによる駆動時間を少しでも長くするため、電力消費が大きい情報表示部やキーを照明するキー照明部を消灯する省電力モードに切り換える機能を備えたものがある。
【０００３】
こうした装置について、特許文献１のものでは、省電力状態の待ち受け時に着信ＬＥＤを点滅させることで、ユーザに対して電源オン状態を認識させるようにしている。
【特許文献１】特開２００３−１３４０３９号公報
【発明の開示】
【発明が解決しようとする課題】
【０００４】
しかしながら、上述した従来の携帯表示装置では、省電力モードとして情報表示部を消してしまうことにより、電源オフ状態なのか省電力モード状態なのかの区別がユーザから分からなくなってしまっていた。
【０００５】
また、上述した特許文献１のものは、この区別を認識させることができる好適なものであるが、省電力モードでない通常モード時に情報表示部で表示していた現在時刻情報や電波レベル情報といった情報が見れないという問題が残されていた。
この問題に対しては、例えば従来の携帯電話機では背面のサブ液晶で表示するといった対策が行われていたが、サブ液晶の消費電力もメインの情報表示部より小さいとはいえやや大きく、また折り畳みタイプの携帯端末では開いた状態で省電力モードになると見えないといった問題が残されていた。
【０００６】
本発明はこのような状況に鑑みてなされたものであり、電力の消費を最小限に抑えながら、なおかつ電源オフでなく省電力モードであることを通知し、同時に例えば現在時刻などの有用な情報をユーザに通知することができる携帯表示装置、表示制御方法、およびプログラムを提供することを目的とする。
【課題を解決するための手段】
【０００７】
かかる目的を達成するために、本発明の第１の態様としての携帯表示装置は、電力により情報表示を行う情報表示手段と、数字キーを含む入力手段とを備えると共に、各数字キーを個別に照明する個別照明手段が各数字キーに対して配設された携帯表示装置であって、携帯表示装置の動作を制御し、情報表示手段による消費電力を低減させる省電力モードに制御可能な制御手段を備え、制御手段は、省電力モード時に個別照明手段の点灯／消灯を制御することで情報表示を行うことを特徴とする。
【０００８】
上記した制御手段は、情報表示として現在時刻情報を表示することが好ましい。
上記した制御手段は、現在時刻情報における時、分に該当する数字キーに対して配設された個別照明手段を順次点灯させることにより現在時刻情報を表示することが好ましい。
【０００９】
上記した制御手段は、２４時間制の現在時刻情報における時、分に対して、時の十の桁、時の１の桁、分の十の桁、分の一の桁に該当する数字キーに対して配設された個別照明手段を順次点灯させることにより現在時刻情報を表示することが好ましい。
【００１０】
上記した制御手段は、個別照明手段を順次点灯させることで現在時刻情報を表示する際に、１つの個別照明手段の点灯と次の個別照明手段の点灯との間に第１の消灯時間を設けたことが好ましい。
【００１１】
上記した制御手段は、個別照明手段を順次点灯させることで現在時刻情報を表示した後に省電力モードがさらに継続される場合、当該現在時刻情報表示から第２の消灯時間を経過した後に再度個別照明手段を順次点灯させることによる現在時刻情報表示を繰り返すよう制御し、上記した第２の消灯時間は、上記した第１の消灯時間よりも長いことが好ましい。
【００１２】
上記した制御手段は、情報表示として電波の受信レベルを表示することであってもよい。
上記した制御手段は、現在の電波の受信レベルに該当する数字キーに対して配設された個別照明手段を所定時間点灯させることにより電波の受信レベルを表示することが好ましい。
【００１３】
上記した制御手段は、情報表示として電池の残量レベルを表示することであってもよい。
上記した制御手段は、現在の電池の残量レベルに該当する数字キーに対して配設された個別照明手段を所定時間点灯させることにより電池の残量レベルを表示することが好ましい。
【００１４】
上記した省電力モードでは、情報表示手段による消費電力をオフにし、上記した情報表示は、個別照明手段を１つずつ点灯させて行うことが好ましい。
【００１５】
上記した入力手段から予め定められた一定時間以上外部から入力が行われない場合に制御手段は省電力モードとするよう制御し、入力手段から何らかの入力が行われた場合、直ちに通常モードに復帰するよう制御することが好ましい。
【００１６】
また、本発明の第２の態様としての表示制御方法は、電力により情報表示を行う情報表示手段と、数字キーを含む入力手段とを備えると共に、各数字キーを個別に照明する個別照明手段が各数字キーに対して配設された携帯表示装置における表示制御方法であって、入力手段から予め定められた一定時間以上外部から入力が行われない場合に情報表示手段による消費電力を低減させる省電力モードとするモード切り換え工程と、該省電力モード時に個別照明手段の点灯／消灯を制御することで情報表示を行う情報表示工程とを備えたことを特徴とする。
【００１７】
上記した情報表示工程では、情報表示として現在時刻情報を表示することが好ましい。
上記した情報表示工程では、現在時刻情報における時、分に該当する数字キーに対して配設された個別照明手段を順次点灯させることにより現在時刻情報を表示することが好ましい。
【００１８】
上記した情報表示工程では、２４時間制の現在時刻情報における時、分に対して、時の十の桁、時の１の桁、分の十の桁、分の一の桁に該当する数字キーに対して配設された個別照明手段を順次点灯させることにより現在時刻情報を表示することが好ましい。
【００１９】
上記した情報表示工程では、個別照明手段を順次点灯させることで現在時刻情報を表示する際に、１つの個別照明手段の点灯と次の個別照明手段の点灯との間に第１の消灯時間を設けたことが好ましい。
【００２０】
上記した情報表示工程では、個別照明手段を順次点灯させることで現在時刻情報を表示した後に省電力モードがさらに継続される場合、当該現在時刻情報表示から第２の消灯時間を経過した後に再度個別照明手段を順次点灯させることによる現在時刻情報表示を繰り返し、上記した第２の消灯時間は、上記した第１の消灯時間よりも長いことが好ましい。
【００２１】
上記した情報表示工程では、情報表示として電波の受信レベルを表示することであってもよい。
上記した情報表示工程では、現在の電波の受信レベルに該当する数字キーに対して配設された個別照明手段を所定時間点灯させることにより電波の受信レベルを表示することが好ましい。
【００２２】
上記した情報表示工程では、情報表示として電池の残量レベルを表示することであってもよい。
上記した情報表示工程では、現在の電池の残量レベルに該当する数字キーに対して配設された個別照明手段を所定時間点灯させることにより電池の残量レベルを表示することが好ましい。
【００２３】
上記したモード切り換え工程では、省電力モードとして情報表示手段による消費電力をオフにし、上記した情報表示は、個別照明手段を１つずつ点灯させて行うことが好ましい。
【００２４】
上記した情報表示工程の間に入力手段から何らかの入力が行われた場合、直ちに通常モードに復帰することが好ましい。
【００２５】
また、本発明の第３の態様としての表示制御プログラムは、電力により情報表示を行う情報表示手段と、数字キーを含む入力手段とを備えると共に、各数字キーを個別に照明する個別照明手段が各数字キーに対して配設された携帯表示装置の表示制御プログラムであって、コンピュータに、入力手段から予め定められた一定時間以上外部から入力が行われない場合に情報表示手段による消費電力を低減させる省電力モードとするモード切り換え処理と、該省電力モード時に個別照明手段の点灯／消灯を制御することで情報表示を行う情報表示処理とを実行させることを特徴とする。
【００２６】
上記した情報表示処理では、情報表示として現在時刻情報を表示することが好ましい。
上記した情報表示処理では、現在時刻情報における時、分に該当する数字キーに対して配設された個別照明手段を順次点灯させることにより現在時刻情報を表示することが好ましい。
【００２７】
上記した情報表示処理では、２４時間制の現在時刻情報における時、分に対して、時の十の桁、時の１の桁、分の十の桁、分の一の桁に該当する数字キーに対して配設された個別照明手段を順次点灯させることにより現在時刻情報を表示することが好ましい。
【００２８】
上記した情報表示処理では、個別照明手段を順次点灯させることで現在時刻情報を表示する際に、１つの個別照明手段の点灯と次の個別照明手段の点灯との間に第１の消灯時間を設けたことが好ましい。
【００２９】
上記した情報表示処理では、個別照明手段を順次点灯させることで現在時刻情報を表示した後に省電力モードがさらに継続される場合、当該現在時刻情報表示から第２の消灯時間を経過した後に再度個別照明手段を順次点灯させることによる現在時刻情報表示を繰り返し、上記した第２の消灯時間は、上記した第１の消灯時間よりも長いことが好ましい。
【００３０】
上記した情報表示処理では、情報表示として電波の受信レベルを表示することであってもよい。
上記した情報表示処理では、現在の電波の受信レベルに該当する数字キーに対して配設された個別照明手段を所定時間点灯させることにより電波の受信レベルを表示することが好ましい。
【００３１】
上記した情報表示処理では、情報表示として電池の残量レベルを表示することであってもよい。
上記した情報表示処理では、現在の電池の残量レベルに該当する数字キーに対して配設された個別照明手段を所定時間点灯させることにより電池の残量レベルを表示することが好ましい。
【００３２】
上記したモード切り換え処理では、省電力モードとして情報表示手段による消費電力をオフにし、上記した情報表示は、個別照明手段を１つずつ点灯させて行うことが好ましい。
【００３３】
上記した情報表示処理の間に入力手段から何らかの入力が行われた場合、直ちに通常モードに復帰することが好ましい。
【発明の効果】
【００３４】
以上のように、本発明によれば、電力の消費を最小限に抑えながら、なおかつ電源オフでなく省電力モードであることを通知し、同時に例えば現在時刻などの有用な情報をユーザに通知することができる。
【発明を実施するための最良の形態】
【００３５】
次に、本発明に係る携帯表示装置、表示制御方法、およびプログラムを携帯電話機に適用した一実施形態について、図面を用いて詳細に説明する。
まず、本実施形態の概要について説明する。
【００３６】
本実施形態は、省電力機能をもつ携帯電話機等の小型携帯端末における、表示部の省電力機能使用時における表示ＯＦＦ状態と電源ＯＦＦの判別を示す省電力状態表示手段として、ＣＰＵなどのハードウェアをキー照明制御手段として機能させるソフトウェアを設けたことを特徴としている。
このキー照明制御手段は、一定時間間隔にて時刻などの数値情報を各数字個別に照明可能な数字キーの個別照明部を用いて該当数字を照明することで、省電力機能を使用しながら、最低限必要な数値情報の通知を行うことを実現している。こうした動作をさせることにより、現在時刻情報等の情報表示を消費電流の大きい表示部を使用することなく、最低限の消費電流で実現を可能としている。
【００３７】
〔第１の実施形態〕
図１を参照すると、本発明の第１の実施形態としての携帯電話機１００が示されている。
本実施形態としての携帯電話機１００は、図２に示すように、携帯電話機１００全体の動作を制御する制御部１０１と、液晶ディスプレイなどの表示部１０２と、バックライトなど表示部１０２を照明する表示照明部１０３と、装置外部との無線通信を行う無線部１０４と、時計部１０５と、ＲＯＭや不揮発ＲＡＭなどの記憶部１０６と、数字キー１０８（１０８ａ，１０８ｂ，…）など各種の入力を行うための操作部と、各数字キー１０８それぞれに対して図３に示すように内蔵されてその数字キーを照明するキー個別照明部１０７（１０７ａ，１０７ｂ，…）とを備えている。
上述した表示部１０２と表示照明部１０３とは、電力により情報表示を行う情報表示手段として機能する。
【００３８】
ここで、数字キーとは、０から９までの数字それぞれに１つずつのボタン（キー）が割り当てられることにより、何れか１つのキーを選択して押下することでそのキーに割り当てられた数値を入力できるように構成されたものである。
本実施形態としての携帯電話機は、外部からの操作入力を受ける入力手段としてこの数字キーを含むと共に、各種機能画面を呼び出すためのメニューキーやメールのためのメールキーなど、携帯電話機として公知の各種操作部を備える構成であってよい。
【００３９】
このように、本実施形態としての携帯電話機１００は、ＣＰＵなどのハードウェアをキー個別照明に対する制御手段（制御部１０１）として機能させるソフトウェア（プログラム１０６ａ）を記憶部１０６に格納する。使用者が本携帯電話機１００を一定時間全く操作しない場合、制御部１０１は、消費電流を抑えるために表示部１０２の表示をオフし、表示照明部１０３およびキー個別照明部１０７全体の照明を停止する。
【００４０】
停止後、使用者に省電力モードを通知するため、制御部１０１は、時計部１０５からの現在時刻といった数値を使用した情報を該当する数字キーの照明のみ点灯させることにより情報通知を行う。すなわち、制御部１０１は、情報表示のために該当する数字キーのキー個別照明部１０７のみを、表示部１０２使用時より省電力となるように一定時間間隔にて点灯させることにより、時刻などの情報通知と共に、電源オフでなく省電力モードであることをごく小さな使用電力により通知する。
【００４１】
このキー個別照明部１０７は、上述した図３に示すように各数字キー１０８に対して１つ以上のＬＥＤなどの点灯素子として配設され、情報表示のために点灯対象とされた数字キーのみ点灯していることが使用者から容易に認識可能となるよう構成されている。
【００４２】
この携帯電話機１００は、通常使用時には制御部１０１の制御下で無線部１０４が基地局などと無線通信を行うことにより、電話機能、メール機能など携帯電話機として公知の機能を実現する。この通常使用時（省電力モードでない動作モードでの電源オン時）、表示部１０２、表示照明部１０３、および全てのキー個別照明部１０７が制御部１０１の制御により点灯し、使用者にとって視認性のよいインタフェースを提供している。
【００４３】
次に、本実施形態としての携帯電話機１００における省電力モード時の動作について、図４、図５、図６を参照して説明する。
予め定められた一定時間以上外部からの操作入力が行われないといった所定の条件が満たされると省電力モードがスタートし、制御部１０１は、本携帯電話機１００の表示部１０２の表示停止、表示照明部１０３およびキー個別照明部１０７全ての点灯停止を行い、消費電力を抑えるように制御する（ステップＳ１）。
【００４４】
制御部１０１は、キー照明制御として、電流消費が大きくならない程度の一定間隔の点灯により省電力状態の通知と時刻情報の通知とを実現するため、予め定められた一定時間間隔（表示間消灯時間；第２の消灯時間）ごとの照明オンタイミングを待って（ステップＳ２）、時計部１０５より２４時間制の現在時刻情報を入手し、その入手した現在時刻情報に基づいて、まず最初は時間の十の桁に該当する数字のキー個別照明部１０７のみを一定時間点灯させる（ステップＳ３）。
【００４５】
その後同じ数字が連続する場合を考慮して十の桁の数字の点灯時間より短い一定時間（数字間消灯時間；第１の消灯時間）だけ消灯させた後、続いて時間の一の桁に該当する数字のキー個別照明部１０７のみを一定時間点灯させる（ステップＳ４）。
その次に、同様に上記の数字間消灯時間だけ消灯させ、続いて分の十の桁に該当する数字のキー個別照明部１０７のみを一定時間点灯させる（ステップＳ５）。そして同様に上記の数字間消灯時間だけ消灯させ、続いて分の一の桁に該当する数字のキー個別照明部１０７のみを一定時間点灯させる（ステップＳ６）。
【００４６】
こうした一連の時刻情報点灯表示が終了後、省電力モードがまだ続いている場合には、情報の区切りが分かるようにするためおよび低消費電力を実現するために、制御部１０１は時刻通知時の点灯間隔より長い一定時間（表示間消灯時間）待った後、同様の点灯動作を繰り返す。
【００４７】
ステップＳ３からＳ６として上述した一連の時刻情報点灯表示は、例えば午後２時４５分の場合を例とすると、図５に示すように２４時間制の時刻情報として、「１」「４」「４」「５」の順で数字間消灯時間の消灯動作を挟みながら順次点灯していく。また、そのタイミングは図６に例示するようになる。
このように点灯させることにより、例えば「１」「４」「４」「５」というように４がふたつ重なる表示を行う際にも、長い時間点灯しているのではなく２回点灯しているということをユーザに分かり易く示すことができ、現在時刻情報を確実に通知することができる。
【００４８】
また、上述した図４（ａ）に示す省電力モードとしての処理がスタートすると同時に、図４（ｂ）に示す省電力モード監視処理がスタートし、省電力モードの継続中であるかどうかを制御部１０１が常に監視する（ステップＳ７）。すなわち、上述した図４（ａ）に示す省電力モードとしての処理と、図４（ｂ）に示す省電力モード監視処理とは同時に並行して実行され、図４（ａ）に示す省電力モードとしての処理の実行中に、外部からの何らかの操作入力などにより省電力モードを終了させる状態になっていないかどうかを制御部１０１は常にバックグラウンドで監視する。
【００４９】
この省電力モード監視処理により、例えば外部からの何らかの操作入力が行われるなど省電力モードを終了させるべき状態を検出した場合には、どの状態からでも直ちに通常モード（省電力モードでない動作モード）に復帰する。
【００５０】
このように、本実施形態は、数字キーの個別照明機能を持つ表示機能付き携帯電話機および搭載されるソフトウェアからなり、そのソフトウェアは数字キーの個別照明機能を実現させ、省電流状態を表示する際にキー個別照明部１０７（１０７ａ，１０７ｂ，…）を用いて必要最小限の情報を表示すると共に表示制御の消費電流を最小限に抑えるという特徴を持つものである。
【００５１】
このように、本実施形態によれば、省電力モード時に表示部１０２と表示照明部１０３とによる情報表示手段での消費電力をオフにし、その状態で省電力モード状態を示すために操作部１０８における数字キーの個別の照明の点灯／消灯を制御することにより、単なる省電力モード状態の通知だけでなく、省電力状態を実現すると同時に現在時刻などの最低限必要な数値情報をユーザに通知することが実現可能となる。
【００５２】
なお、上述した第１の実施形態では、全て一定時間間隔でキー個別照明部１０７の点灯制御を行うこととして説明しているが、必ずしも一定時間間隔に限定されず、例えば時間と分の間の間隔を、十の桁と一の桁との間の間隔より長くするようにしてもよい。
【００５３】
また、キー個別照明部１０７それぞれに関して、各数字の点灯方法は一種類として説明しているが、必ずしも一種類の点灯に限定されず、例えば２色以上の色による点灯ができる構成にして十の桁と一の桁とで色を変えて同時に点灯するようにしてもよい。
【００５４】
〔第２の実施形態〕
次に、本発明の第２の実施形態としての携帯電話機について説明する。この第２の実施形態は、上述した第１の実施形態の携帯電話機１００で、省電力モード時に時刻情報を通知するようにしていたのに替えて、電波の受信レベルを示す電波レベル情報を通知するようにしたものである。他の部分については上述した第１の実施形態と同様であり、説明を省略する。
【００５５】
この第２の実施形態としての携帯電話機の動作について、図７のフローチャートを参照して説明する。
予め定められた一定時間以上外部からの操作入力が行われないといった所定の条件が満たされると省電力モードがスタートし、制御部１０１は、上述した第１の実施形態と同様に表示部１０２の表示停止、表示照明部１０３およびキー個別照明部１０７全ての点灯停止を行い、消費電流の消費を抑えるように制御する（ステップＳ１１）。
【００５６】
制御部１０１は、キー照明制御として、電流消費が大きくならない程度の一定間隔の点灯により省電力状態の通知と電波レベル情報の通知とを実現するため、予め定められた一定時間間隔（表示間消灯時間）ごとの照明オンタイミングを待って（ステップＳ１２）、無線部１０４より電波レベル情報を入手し、その入手した電波レベル情報に該当する数字のキー個別照明部１０７のみを一定時間点灯させる（ステップＳ１３）。
【００５７】
この電波レベル情報は、表示部１０２で表示によって電波レベルを示しているのをそのまま数字によって表現することとしてもよく、他の方法であってもよい。表示による電波レベルをそのまま数字で表現する場合、例えば５段階のアンテナマークによる電波レベル表示であれば、圏外の時に「０」表示とし、アンテナマークを１本とする電波レベルであれば「１」表示、以下同様にアンテナマークが２本の電波レベルの時に「２」、５本の電波レベルの時に「５」の数字を表示する。
【００５８】
この電波レベル情報点灯表示が終了後、省電力モードがまだ続いている場合には、情報の区切りが分かるようにするためおよび低消費電力を実現するために、制御部１０１は一定時間（表示間消灯時間）待った後、同様の点灯動作を繰り返す。
【００５９】
また、上述した図７（ａ）に示す省電力モードとしての処理がスタートすると同時に、図７（ｂ）に示す省電力モード監視処理がスタートし、省電力モードの継続中であるかどうかを制御部１０１が常に監視する（ステップＳ１４）。すなわち、上述した図７（ａ）に示す省電力モードとしての処理と、図７（ｂ）に示す省電力モード監視処理とは同時に並行して実行され、図７（ａ）に示す省電力モードとしての処理の実行中に、外部からの何らかの操作入力などにより省電力モードを終了させる状態になっていないかどうかを制御部１０１は常にバックグラウンドで監視する。
【００６０】
この省電力モード監視処理により、例えば外部からの何らかの操作入力が行われるなど省電力モードを終了させるべき状態を検出した場合には、どの状態からでも直ちに通常モード（省電力モードでない動作モード）に復帰する。
【００６１】
このように、第２の実施形態によれば、省電力モード時に表示部１０２と表示照明部１０３とによる情報表示手段での消費電力をオフにし、その状態で省電力モード状態を示すために操作部１０８における数字キーの個別の照明の点灯／消灯を制御することにより、単なる省電力モード状態の通知だけでなく、省電力状態を実現すると同時に電波レベル情報などの最低限必要な数値情報をユーザに通知することが実現可能となる。
【００６２】
なお、上述した第２の実施形態では、省電力モード時の点灯により電波レベル情報を通知することとして説明したが、電波レベル情報の変わりに電池レベル情報（電池の残量レベル情報）としても本実施形態は同様に実現することができる。
【００６３】
また、上述した各実施形態は本発明の好適な実施形態であり、本発明はこれに限定されることなく、本発明の技術的思想に基づいて種々変形して実施することが可能である。
例えば、表示部１０２は液晶ディスプレイなどとして説明したが、電力により表示可能な手段であればこのものに限定されず、例えば有機ＥＬディスプレイ（Organic Electroluminescence Display）などであってもよい。また、こうした表示部１０２単独で好適に情報を視認できるよう表示可能なものであれば、表示照明部１０３は省略してもよい。すなわち、表示部１０２単独で情報表示手段として機能する構成としてもよい。
【００６４】
また、数字キーによる入力は、入力可能であれば押下するものに限定されず、例えばタッチ式のものであってもよい。
また、キー個別照明部が配設される数字キーは、０から９までの数字それぞれに分割されたキーであれば各種の態様であってよく、上述した実施形態のものに限定されない。
【００６５】
また、制御部１０１は、プログラムによりＣＰＵなどのハードウェアが処理を行うことで実現されてもよく、制御回路といったハードウェアにより実現されてもよい。また、例えば照明制御を行う部分が他の制御部に対して独立した構成とするなど、複数の部分に分かれた構成であってもよい。
【００６６】
また、以上に、本発明に係る携帯表示装置、表示制御方法、およびプログラムを携帯電話機に適用したものについて説明したが、数字キーと、各数字キーに対するキー個別照明部とを備えたものであればこのものに限定されず、例えばＰＤＡ（Personal Digital Assistant）などの携帯端末装置や、表示機能を備えた各種の携帯用電子機器などに対しても本発明は同様に適用可能である。
【００６７】
また、上述した各実施形態としての携帯電話機を実現するための処理手順をプログラム（ソフトウェア）として記録媒体に記録することにより、本発明の各実施形態による上述した各機能を、その記録媒体から供給されるプログラムによって、装置またはシステムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えば、フロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いてよい。
【００６８】
この本発明に係るプログラムによれば、当該プログラムによって制御される携帯表示装置に、上述した本発明に係る各実施形態としての携帯電話機における各機能を実現させることができる。
【図面の簡単な説明】
【００６９】
【図１】本発明の実施形態としての携帯電話機１００を示す斜視図である。
【図２】該携帯電話機１００の制御における構成を示すブロック図である。
【図３】キー個別照明部１０７の配置を示す概念図である。
【図４】省電力モード時の制御手順を示すフローチャートである。
【図５】省電力モード時の該制御手順による発光状態推移を示す図である。
【図６】省電力モード時の該制御手順における点灯タイミングを示す図である。
【図７】省電力モード時の他の制御手順を示すフローチャートである。
【符号の説明】
【００７０】
１００    携帯電話機
１０１    制御部
１０２    表示部
１０３    表示照明部
１０４    無線部
１０５    時計部
１０６    記憶部
１０６ａ    プログラム
１０７（１０７ａ，１０７ｂ，…）    キー個別照明部
１０８    操作部
１０８ａ，１０８ｂ…    数字キー
【図１】
2006101313.tif 000003
【図２】
2006101313.tif 000004
【図３】
2006101313.tif 000005
【図４】
2006101313.tif 000006
【図５】
2006101313.tif 000007
【図６】
2006101313.tif 000008
【図７】
2006101313.tif 000009